(57)【要約】  室内機は、外郭を形成する筐体と、筐体内に収容され、外部から流体を取り込むファンと、ファンから送り出された流体と冷媒との間で熱交換を行う熱交換器と、筐体の内壁に固定され、熱交換器から発生するドレン水を捕集するドレンパンと、ドレンパンに取り付けられ、ファンによって取り込まれる流体を整流するベルマウスとを備え、ドレンパンは、ベルマウスの位置決めを行うための複数のドレンパン側嵌合手段を有し、ベルマウスは、複数のドレンパン側嵌合手段とそれぞれ嵌合する複数のベルマウス側嵌合手段を有する。
2020170363.tif 000002
【特許請求の範囲】
【請求項１】
外郭を形成する筐体と、
前記筐体内に収容され、外部から流体を取り込むファンと、
前記ファンから送り出された流体と冷媒との間で熱交換を行う熱交換器と、
前記筐体の内壁に固定され、前記熱交換器から発生するドレン水を捕集するドレンパンと、
前記ドレンパンに取り付けられ、前記ファンによって取り込まれる流体を整流するベルマウスと
を備え、
前記ドレンパンは、
前記ベルマウスの位置決めを行うための複数のドレンパン側嵌合手段を有し、
前記ベルマウスは、
複数の前記ドレンパン側嵌合手段とそれぞれ嵌合する複数のベルマウス側嵌合手段を有する
室内機。
【請求項２】
前記ドレンパン側嵌合手段は、前記ベルマウスに対向する面に、前記ベルマウスとは反対方向に設けられた嵌合用凹部であり、
前記ベルマウス側嵌合手段は、前記ドレンパンに対向する面から前記ドレンパンの方向に突出し、前記嵌合用凹部に嵌合する嵌合用凸部である
請求項１に記載の室内機。
【請求項３】
前記ドレンパン側嵌合手段は、前記ベルマウスに対向する面から前記ベルマウスの方向に突出する嵌合用凸部であり、
前記ベルマウス側嵌合手段は、前記ドレンパンに対向する面に、前記ドレンパンとは反対方向に設けられ、前記嵌合用凸部が嵌合する嵌合用凹部である
請求項１に記載の室内機。
【請求項４】
複数の前記嵌合用凹部は、前記嵌合用凸部の外形に沿った形状に形成されている
請求項２または３に記載の室内機。
【請求項５】
複数の前記嵌合用凸部は、円柱形状に形成され、
複数の前記嵌合用凹部は、丸穴形状に形成されている
請求項４に記載の室内機。
【請求項６】
複数の前記嵌合用凸部は、角柱形状に形成され、
複数の前記嵌合用凹部は、角穴形状に形成されている
請求項４に記載の室内機。
【請求項７】
複数の前記嵌合用凸部は、円柱形状に形成され、
複数の前記嵌合用凹部は、少なくとも１つの前記嵌合用凹部が丸穴形状に形成され、残りの前記嵌合用凹部が長穴形状に形成されている
請求項２または３に記載の室内機。
【請求項８】
前記長穴形状は、前記丸穴形状の嵌合用凹部と前記長穴形状の嵌合用凹部とを結ぶ直線に平行な方向に長い
請求項７に記載の室内機。
【請求項９】
前記ベルマウスは、
前記ドレンパン側嵌合手段と前記ベルマウス側嵌合手段とが嵌合した状態で、ネジによって前記ドレンパンに固定されている
請求項１〜８のいずれか一項に記載の室内機。
【請求項１０】
請求項１〜９のいずれか一項に記載の室内機と、
前記室内機に熱供給を行う室外機と
を備える空気調和機。
【発明の詳細な説明】
【技術分野】
【０００１】
本発明は、対象空間の空気調和を行う室内機および空気調和機に関するものである。
【背景技術】
【０００２】
従来、空気調和機の室内機には、吸込口から流入する空気をファンに供給する際に、空気を整流するためのベルマウスが設けられている。ベルマウスは、例えば、室内機に設けられた室内熱交換器の下方に設置されたドレンパンにネジで固定することによって取り付けられている。このような室内機は、ドレンパンにベルマウスを固定する際の位置決めを行うための構造を有している。【０００３】
例えば、特許文献１には、ベルマウス側に位置決め用の矩形凸形状が１箇所形成されるとともに、ドレンパン側に位置決め用の矩形凹形状を有する位置決め用器具が１箇所設けられた室内機が開示されている。この室内機では、ベルマウス側の凸形状と、ドレンパン側の位置決め用器具の凹形状とが嵌合した後に、ベルマウスがドレンパンにネジ固定される。これにより、ベルマウスの位置決めがなされるとともに、ネジ固定の際のネジを中心とした回転方向の運動が規制される。
【先行技術文献】
【特許文献】
【０００４】
【特許文献１】国際公開第２０１６／１８５５７６号
【発明の概要】
【発明が解決しようとする課題】
【０００５】
しかしながら、特許文献１に記載の室内機では、ベルマウス側の凸形状とドレンパン側の凹形状とによる１箇所の嵌合と、１箇所のネジ固定とによって位置決めがなされている。具体的には、ベルマウスを位置決めするためには、凸形状および凹形状を嵌合させた状態で、予め決められたネジを最初に締結し、その後、残りのネジを締結する。すなわち、この室内機では、ネジの締結が一定の順序で行われる必要がある。そのため、室内機を組み立てる際の作業性が悪いという課題がある。【０００６】
本発明は、上記の課題に鑑みてなされたものであって、ドレンパンに対するベルマウスの位置決めを容易に行い、作業性を向上させることができる室内機および空気調和機を提供することを目的とする。
【課題を解決するための手段】
【０００７】
本発明の室内機は、外郭を形成する筐体と、前記筐体内に収容され、外部から流体を取り込むファンと、前記ファンから送り出された流体と冷媒との間で熱交換を行う熱交換器と、前記筐体の内壁に固定され、前記熱交換器から発生するドレン水を捕集するドレンパンと、前記ドレンパンに取り付けられ、前記ファンによって取り込まれる流体を整流するベルマウスとを備え、前記ドレンパンは、前記ベルマウスの位置決めを行うための複数のドレンパン側嵌合手段を有し、前記ベルマウスは、複数の前記ドレンパン側嵌合手段とそれぞれ嵌合する複数のベルマウス側嵌合手段を有するものである。【０００８】
また、本発明の空気調和機は、上記の室内機と、前記室内機に熱供給を行う室外機とを備えるものである。
【発明の効果】
【０００９】
以上のように、本発明によれば、複数のドレンパン側嵌合手段と複数のベルマウス側嵌合手段とを嵌合させるだけで、ドレンパンに対するベルマウスの位置決めが行われる。
そのため、ドレンパンに対するベルマウスの位置決めを容易に行い、作業性を向上させることができる。
【図面の簡単な説明】
【００１０】
【図１】実施の形態１に係る室内機の外観の一例を示す斜視図である。
【図２】図１の室内機を下面側から見た場合の概略図である。
【図３】図２の室内機の構成の一例を示す分解斜視図である。
【図４】図３のドレンパンおよびベルマウスの取り付け関係について説明するための要部拡大図である。
【図５】図４の嵌合用凹部の形状の一例を示す斜視図である。
【図６】図４の嵌合用凸部の形状の一例を示す斜視図である。
【図７】実施の形態１に係る室内機における、ドレンパンに対するベルマウスの位置決めについて説明するための模式断面図である。
【図８】実施の形態１に係る室内機における、ドレンパンに対するベルマウスのネジ固定について説明するための斜視図である。
【図９】実施の形態２に係るドレンパンおよびベルマウスの取り付け関係について説明するための要部拡大図である。
【図１０】図９の第１嵌合用凹部および第２嵌合用凹部の形状の一例を示す斜視図である。
【図１１】実施の形態１に係る室内機における、ドレンパンに対するベルマウスの位置決めについて説明するための模式断面図である。
【図１２】実施の形態３に係る空気調和機の構成の一例を示す概略図である。
【発明を実施するための形態】
【００１１】
実施の形態１．
以下、本発明の実施の形態１に係る空気調和機の室内機について説明する。以下の図面において、同一の参照符号を付したものは、同一またはこれに相当するものであり、このことは、明細書の全文において共通することである。そして、明細書全文に表されている構成要素の形態は、あくまでも例示であって、明細書に記載された形態に限定するものではない。特に、構成要素の組み合わせは、各実施の形態における組み合わせのみに限定するものではなく、他の実施の形態に記載した構成要素を別の実施の形態に適用することができる。そして、図面では各構成部材の大きさの関係が実際のものとは異なる場合がある。
【００１２】
［室内機１００の構造］
図１は、本実施の形態１に係る室内機１００の外観の一例を示す斜視図である。本実施の形態１では、室内の天井に埋め込まれて設置される天井埋め込み型で、四方向に空気を吹き出す四方向カセット形の室内機１００について説明する。なお、以下では、図１における上方を「上側」とし、下方を「下側」として説明する。
【００１３】
図１に示すように、室内機１００は、外郭を形成する筐体１１０を有している。筐体１１０は、空調などの対象空間である室内に面する下面が開口しており、この開口部分には、平面視で略四角形状の化粧パネル１２０が取り付けられている。化粧パネル１２０の中央付近には、室内の空気を室内機１００内へ取り込むための吸込口となるグリル１２１が設けられている。
【００１４】
化粧パネル１２０には、室内機１００に取り込まれた空気を吹き出すための、４つの空気の吹出口１２２が形成されている。これら４つの吹出口１２２は、化粧パネル１２０の各辺に沿ってそれぞれ形成されている。それぞれの吹出口１２２には、風向を変更するフラップ１２３が設けられている。それぞれのフラップ１２３は、図示しないモータの駆動により、軸を中心に回転駆動する。
【００１５】
図２は、図１の室内機１００を下面側から見た場合の概略図である。図３は、図２の室内機１００の構成の一例を示す分解斜視図である。なお、図２は、室内機１００の内部構成を説明するため、化粧パネル１２０を取り外した状態を示す。また、図３において、化粧パネル１２０が省略されている。
【００１６】
図２および図３に示すように、室内機１００の筐体１１０の内部中央付近には、ファンであるターボファン１３０が設けられている。ターボファン１３０は、遠心型の送風機であり、図示しないモータが駆動することにより、空気流れ方向の上流側に設けられたグリル１２１から流入した空気を側方（図３の左右方向）に送り出す。
【００１７】
ターボファン１３０の周囲には、室内熱交換器１０が設置されている。室内熱交換器１０は、ターボファン１３０から送り出された空気が供給され、この空気と、室内熱交換器１０内に設けられた図示しない伝熱管内を流れる冷媒との間で熱交換を行う。
【００１８】
ターボファン１３０の上流側には、ベルマウス１５０が設置されている。ベルマウス１５０は、グリル１２１から流入した流体としての空気を整流し、ターボファン１３０に送る。ベルマウス１５０は、ドレンパン１４０に取り付けられている。
【００１９】
ドレンパン１４０は、例えば発泡スチロール等の合成樹脂を材料として成形されている。ドレンパン１４０は、室内熱交換器１０の下方に設けられ、室内熱交換器１０から発生したドレン水を捕集する。ドレンパン１４０は、筐体１１０の内壁に固定されている。ドレンパン１４０には、室内機１００の下面中央部となる位置に、グリル１２１から流入した空気が通過する本体吸込口１４１としての貫通穴が形成されている。
【００２０】
ドレンパン１４０の本体吸込口１４１の周囲には、ベルマウス１５０が取り付けられている。また、ドレンパン１４０には、室内熱交換器１０から流出した空気を通過させ、吹出口１２２に送る本体吹出口１４２としての貫通穴が形成されている。
【００２１】
室内機１００の内部には、上記の構成により、グリル１２１から吹出口１２２に至る風路が形成されている。すなわち、風路上には、空気流れ方向の上流側から、グリル１２１、ベルマウス１５０（本体吸込口１４１）、ターボファン１３０、室内熱交換器１０、本体吹出口１４２および吹出口１２２が位置している。
【００２２】
図４は、図３のドレンパン１４０およびベルマウス１５０の取り付け関係について説明するための要部拡大図である。図４に示すように、ドレンパン１４０には、ドレンパン側嵌合手段である複数の嵌合用凹部１４５が設けられている。複数の嵌合用凹部１４５は、ベルマウス１５０に対向する面に、ベルマウス１５０とは反対方向の凹みまたは貫通孔として設けられている。また、複数の嵌合用凹部１４５は、例えばドレンパン１４０の４つの角部のうち、少なくとも２箇所の角部の近傍に設けられる。
【００２３】
ベルマウス１５０には、ベルマウス側嵌合手段である複数の嵌合用凸部１５５が設けられている。複数の嵌合用凸部１５５は、ドレンパン１４０に対向する面に、ドレンパン１４０の方向に突出するように設けられている。また、複数の嵌合用凸部１５５は、ベルマウス１５０をドレンパン１４０に取り付けた場合の、複数の嵌合用凹部１４５に対応する位置にそれぞれ設けられている。
【００２４】
なお、本実施の形態１は、嵌合用凹部１４５および嵌合用凸部１５５が、それぞれ２箇所に設けられた場合について例示するが、これに限られず、嵌合用凹部１４５および嵌合用凸部１５５は、３箇所以上に設けられていてもよい。
【００２５】
図５は、図４の嵌合用凹部１４５の形状の一例を示す斜視図である。図６は、図４の嵌合用凸部１５５の形状の一例を示す斜視図である。複数の嵌合用凹部１４５は、図５に示すように、丸穴形状にそれぞれ形成されている。複数の嵌合用凸部１５５は、図６に示すように、円柱形状にそれぞれ形成されている。嵌合用凸部１５５の外形寸法は、ドレンパン１４０に設けられた嵌合用凹部１４５の内径と同じか、それよりも僅かに小さくなるように形成されている。すなわち、嵌合用凸部１５５の外形は、嵌合用凹部１４５に沿うように形成されている。これにより、嵌合用凸部１５５が嵌合用凹部１４５に圧入されるため、ドレンパン１４０に対するベルマウス１５０を確実に固定することができる。
【００２６】
なお、図５および図６に示す例では、嵌合用凹部１４５が丸穴形状に形成され、嵌合用凸部１５５が円柱形状に形成される場合について例示されているが、これはこの例に限られない。例えば、嵌合用凹部１４５が角穴形状に形成され、嵌合用凸部１５５が角柱形状に形成されてもよい。すなわち、それぞれの外形が角形状となるように形成されてもよい。
【００２７】
［ドレンパン１４０に対するベルマウス１５０の固定］
次に、本実施の形態１に係る室内機１００における、ドレンパン１４０に対するベルマウス１５０の固定方法について説明する。図７は、本実施の形態１に係る室内機１００における、ドレンパン１４０に対するベルマウス１５０の位置決めについて説明するための模式断面図である。図８は、本実施の形態１に係る室内機１００における、ドレンパン１４０に対するベルマウス１５０のネジ固定について説明するための斜視図である。
【００２８】
ドレンパン１４０にベルマウス１５０が取り付けられる場合には、まず、図７に示すように、ドレンパン１４０に設けられた複数の嵌合用凹部１４５に対して、ベルマウス１５０に設けられた複数の嵌合用凸部１５５がそれぞれ嵌合される。このように、それぞれの嵌合用凹部１４５にそれぞれの嵌合用凸部１５５が嵌合されることにより、ドレンパン１４０に対してベルマウス１５０が位置決めされる。次に、ベルマウス１５０は、ドレンパン１４０に対する位置決めがなされた状態で、図８に示すように、複数のネジ１６０を用いてドレンパン１４０に固定される。
【００２９】
ここで、本実施の形態１では、嵌合用凹部１４５および嵌合用凸部１５５によって位置決めが行われている。そのため、複数のネジ１６０は、いずれの箇所から締結してもよい。すなわち、本実施の形態１に係る室内機１００においては、複数のネジ１６０の締結順序を順不同とすることができる。
【００３０】
以上のように、本実施の形態１に係る室内機１００では、複数のドレンパン側嵌合手段と複数のベルマウス側嵌合手段とが嵌合するだけで、ドレンパン１４０に対するベルマウス１５０の位置決めが行われる。そのため、ドレンパン１４０に対するベルマウス１５０の位置決めを容易に行い、作業性を向上させることができる。
【００３１】
本実施の形態１に係る室内機１００では、ドレンパン側嵌合手段として嵌合用凹部１４５が設けられ、ベルマウス側嵌合手段として嵌合用凸部１５５が設けられる。これにより、ベルマウス１５０をドレンパン１４０に取り付ける際に、嵌合用凹部１４５と嵌合用凸部１５５とが嵌合するため、ベルマウス１５０を容易かつ確実に位置決めすることができる。
【００３２】
本実施の形態１に係る室内機１００において、複数の嵌合用凹部１４５は、嵌合用凸部１５５の外形に沿った形状に形成されている。これにより、嵌合用凸部１５５が嵌合用凹部１４５に圧入等によって嵌合するため、ドレンパン１４０に対するベルマウス１５０の位置決めを確実に行うことができる。
【００３３】
複数の嵌合用凸部１５５は、円柱形状に形成され、複数の嵌合用凹部１４５は、丸穴形状に形成される。また、複数の嵌合用凸部１５５は、角柱形状に形成され、複数の嵌合用凹部１４５は、角穴形状に形成されてもよい。
【００３４】
本実施の形態１に係る室内機１００において、ベルマウス１５０は、ドレンパン側嵌合手段とベルマウス側嵌合手段とが嵌合した状態で、ネジ１６０によってドレンパン１４０に固定される。これにより、ベルマウス１５０をドレンパン１４０に位置決めした状態で、ドレンパン１４０に対してベルマウス１５０を確実に固定することができる。
【００３５】
実施の形態２．
次に、本発明の実施の形態２について説明する。本実施の形態２は、複数の嵌合用凹部１４５のうち一部を長穴形状に形成する点で、実施の形態１と相違する。なお、以下の説明において、実施の形態１と共通する部分については同一の符号を付し、詳細な説明を省略する。
【００３６】
図９は、本実施の形態２に係るドレンパン１４０およびベルマウス１５０の取り付け関係について説明するための要部拡大図である。図９に示すように、ベルマウス１５０のドレンパン１４０に対向する面には、実施の形態１と同様に、ベルマウス側嵌合手段である複数の嵌合用凸部１５５が設けられている。
【００３７】
また、本実施の形態２において、ドレンパン１４０のベルマウス１５０に対向する面には、ドレンパン側嵌合手段である複数の嵌合用凹部１４５として、第１嵌合用凹部１４５ａおよび第２嵌合用凹部１４５ｂが設けられている。この例では、２つの嵌合用凹部１４５がドレンパン１４０に設けられており、一方が第１嵌合用凹部１４５ａとして、他方が第２嵌合用凹部１４５ｂとして設けられている。
【００３８】
図１０は、図９の第１嵌合用凹部１４５ａおよび第２嵌合用凹部１４５ｂの形状の一例を示す斜視図である。図１０に示すように、第１嵌合用凹部１４５ａは、実施の形態１の嵌合用凹部１４５と同様に、丸穴形状に形成されている。
【００３９】
第２嵌合用凹部１４５ｂは、長穴形状に形成されている。ここで、第２嵌合用凹部１４５ｂにおける、第１嵌合用凹部１４５ａと第２嵌合用凹部１４５ｂとを結ぶ直線に垂直な方向の寸法、すなわち、第２嵌合用凹部１４５ｂの短手方向の寸法αは、円柱形状とされた嵌合用凸部１５５の外形寸法と同じか、それよりも僅かに大きくなるように形成されている。これにより、嵌合用凸部１５５が第２嵌合用凹部１４５ｂに圧入された際に、嵌合用凹部１４５が第２嵌合用凹部１４５ｂの短手方向に移動するのを抑制することができる。
【００４０】
一方、第２嵌合用凹部１４５ｂにおける、第１嵌合用凹部１４５ａと第２嵌合用凹部１４５ｂとを結ぶ直線に平行な方向の寸法、すなわち、第２嵌合用凹部１４５ｂの長手方向の寸法βは、嵌合用凸部１５５の外形寸法よりも長く形成されている。これは、ドレンパン１４０またはベルマウス１５０を成形する際に、熱収縮等によって複数の嵌合用凹部１４５の間、または複数の嵌合用凸部１５５の間の距離に個体差が生じても、嵌合用凹部１４５および嵌合用凸部１５５が嵌合できるようにするためである。
【００４１】
［ドレンパン１４０に対するベルマウス１５０の位置決め］
次に、本実施の形態２に係る室内機１００における、ドレンパン１４０に対するベルマウス１５０の位置決めについて説明する。図１１は、本実施の形態１に係る室内機１００における、ドレンパン１４０に対するベルマウス１５０の位置決めについて説明するための模式断面図である。
【００４２】
図１１に示すように、ドレンパン１４０にベルマウス１５０を取り付ける場合には、実施の形態１と同様に、ドレンパン１４０の複数の嵌合用凹部１４５（第１嵌合用凹部１４５ａおよび第２嵌合用凹部１４５ｂ）に対して、ベルマウス１５０の嵌合用凸部１５５がそれぞれ嵌合される。このとき、第２嵌合用凹部１４５ｂは、第１嵌合用凹部１４５ａと第２嵌合用凹部１４５ｂとを結ぶ直線に平行な方向に長い長穴形状とされている。そのため、ドレンパン１４０またはベルマウス１５０の寸法に個体差が生じていても、長穴が寸法の個体差を吸収するので、ドレンパン１４０に対するベルマウス１５０の位置決めが確実に行われる。
【００４３】
なお、この例では、嵌合用凹部１４５および嵌合用凸部１５５がそれぞれ２箇所設けられた場合について説明したが、嵌合用凹部１４５および嵌合用凸部１５５は３箇所以上設けられていてもよい。この場合には、３箇所以上の嵌合用凸部１５５のうち、少なくとも１つが第１嵌合用凹部１４５ａとして形成され、残りが第２嵌合用凹部１４５ｂとして形成されるようにする。これにより、上述した説明と同様に、長穴形状の第１嵌合用凹部１４５ａが、その形状によって寸法の個体差を吸収してベルマウス１５０の位置決めが確実に行われる。
【００４４】
以上のように、本実施の形態２に係る室内機１００において、複数の嵌合用凸部１５５は、円柱形状に形成され、複数の嵌合用凹部１４５のうち少なくとも１つの第１嵌合用凹部１４５ａが丸穴形状に形成され、残りの第２嵌合用凹部１４５ｂが長穴形状に形成される。このとき、第２嵌合用凹部１４５ｂの長穴形状は、第２嵌合用凹部１４５ｂは、第１嵌合用凹部１４５ａと第２嵌合用凹部１４５ｂとを結ぶ直線に平行な方向に長く形成されている。これにより、ドレンパン１４０またはベルマウス１５０の寸法に個体差が生じていても、長穴が寸法の個体差を吸収するため、ドレンパン１４０に対するベルマウス１５０の位置決めを確実に行うことができる。
【００４５】
実施の形態３．
次に、本発明の実施の形態３について説明する。本実施の形態３は、上述した実施の形態１または２に係る室内機１００を適用した空気調和機について説明する。
【００４６】
図１２は、本実施の形態３に係る空気調和機１の構成の一例を示す概略図である。図１２に示すように、空気調和機１は、室内機１００および室外機２００で構成されている。室内機１００と室外機２００とが冷媒配管２で接続されることにより、冷媒回路が形成されている。
【００４７】
［空気調和機１の構成］
（室外機２００）
室外機２００は、室内機１００に熱供給を行うものであり、圧縮機２０、冷媒流路切替装置２１、室外熱交換器２２、室外送風機２３および膨張弁２４を備えている。圧縮機２０は、低温低圧の冷媒を吸入し、吸入した冷媒を圧縮し、高温高圧の冷媒を吐出する。圧縮機２０は、例えば、運転周波数を変化させることにより、単位時間あたりの送出量である容量が制御されるインバータ圧縮機等からなる。
【００４８】
冷媒流路切替装置２１は、例えば四方弁であり、冷媒の流れる方向を切り替えることにより、冷房運転および暖房運転の切り替えを行う。冷媒流路切替装置２１は、冷房運転時に、図１２の実線で示す状態に切り替わる。また、冷媒流路切替装置２１は、暖房運転時に、図１２の点線で示す状態に切り替わる。
【００４９】
室外熱交換器２２は、室外空気と冷媒との間で熱交換を行う。室外熱交換器２２は、冷房運転の際に、冷媒の熱を室外空気に放熱して冷媒を凝縮させる凝縮器として機能する。また、室外熱交換器２２は、暖房運転の際に、冷媒を蒸発させ、その際の気化熱により室外空気を冷却する蒸発器として機能する。
【００５０】
室外送風機２３は、室外熱交換器２２に対して室外空気を供給する。室外送風機２３は、回転数に応じて室外熱交換器２２に対する送風量を調整する。膨張弁２４は、冷媒を膨張させる。膨張弁２４は、例えば、電子式膨張弁等の開度の制御が可能な弁で構成される。
【００５１】
（室内機１００）
室内機１００は、室内熱交換器１０および室内送風機１１を備えている。室内熱交換器１０は、空気と冷媒との間で熱交換を行う。これにより、空調対象空間に供給される暖房用空気または冷房用空気が生成される。室内熱交換器１０は、冷房運転の際に蒸発器として機能し、空調対象空間の空気を冷却して冷房を行う。また、室内熱交換器１０は、暖房運転の際に凝縮器として機能し、空調対象空間の空気を加熱して暖房を行う。
【００５２】
室内送風機１１は、室内熱交換器１０に対して空気を供給する。本実施の形態３においては、室内送風機１１としてターボファン１３０が適用される。室内送風機１１は、回転数に応じて室内熱交換器１０に対する送風量を調整する。
【００５３】
［空気調和機１の動作］
（冷媒の流れについて）
上記構成を有する空気調和機１における冷媒の動作について、図１２を参照しながら説明する。
【００５４】
（冷房運転）
冷房運転時、冷媒流路切替装置２１は、図１２の実線で示すように、圧縮機２０の吐出側と室外熱交換器２２とが接続されるように切り替えられる。そして、低温低圧の冷媒が圧縮機２０によって圧縮され、高温高圧のガス冷媒となって吐出される。
【００５５】
圧縮機２０から吐出された高温高圧のガス冷媒は、冷媒流路切替装置２１を介して室外熱交換器２２に流入する。室外熱交換器２２に流入した高温高圧のガス冷媒は、室外送風機２３によって取り込まれた室外空気と熱交換して放熱しながら凝縮し、高圧の液冷媒となって室外熱交換器２２から流出する。室外熱交換器２２から流出した高圧の液冷媒は、膨張弁２４によって減圧されて低温低圧の気液二相冷媒となり、室外機２００から流出する。室外機２００から流出した低温低圧の気液二相冷媒は、冷媒配管２を介して室内機１００に流入する。
【００５６】
室内機１００に流入した低温低圧の気液二相冷媒は、室内熱交換器１０に流入する。室内熱交換器１０に流入した低温低圧の気液二相冷媒は、室内送風機１１によって取り込まれた室内空気と熱交換して吸熱および蒸発し、低圧のガス冷媒となって室内熱交換器１０から流出する。室内熱交換器１０から流出した低圧のガス冷媒は、室外機２００に流入し、冷媒流路切替装置２１を通過して、圧縮機２０へ吸入される。
【００５７】
（暖房運転）
暖房運転時、冷媒流路切替装置２１は、図１２の破線で示すように、圧縮機２０の吐出側と室内機１００側とが接続されるように切り替えられる。そして、低温低圧の冷媒が圧縮機２０によって圧縮され、高温高圧のガス冷媒となって吐出される。圧縮機２０から吐出された高温高圧のガス冷媒は、冷媒流路切替装置２１を介して室外機２００から流出し、冷媒配管２を介して室内機１００に流入する。
【００５８】
室内機１００に流入した高温高圧のガス冷媒は、室内熱交換器１０に流入する。室内熱交換器１０に流入した高温高圧のガス冷媒は、室内送風機１１によって取り込まれた室内空気と熱交換して放熱しながら凝縮し、高圧の液冷媒となって室内熱交換器１０から流出する。室内熱交換器１０から流出した高圧の液冷媒は、室内機１００から流出する。室内機１００から流出した高圧の液冷媒は、冷媒配管２を介して室外機２００に流入する。
【００５９】
室外機２００に流入した高圧の液冷媒は、低温低圧の気液二相冷媒は、膨張弁２４によって減圧されて低温低圧の気液二相冷媒となり、室外熱交換器２２に流入する。室外熱交換器２２に流入した低温低圧の気液二相冷媒は、室外送風機２３によって取り込まれた室外空気と熱交換して吸熱および蒸発し、低圧のガス冷媒となって室外熱交換器２２から流出する。室外熱交換器２２から流出した低圧のガス冷媒は、冷媒流路切替装置２１を通過して、圧縮機２０へ吸入される。
【００６０】
以上のように、本実施の形態３に係る空気調和機１では、実施の形態１または２で説明した室内機１００が適用される。これにより、ユニット性能が安定した空気調和機を得ることができる。
【００６１】
以上、本発明の実施の形態１〜３について説明したが、本発明は、上述した本発明の実施の形態１〜３に限定されるものではなく、本発明の要旨を逸脱しない範囲内で様々な変形や応用が可能である。実施の形態１および２では、ドレンパン１４０に嵌合用凹部１４５が設けられ、ベルマウス１５０に嵌合用凸部１５５が設けられるように説明したが、これはこの例に限られない。例えば、ドレンパン１４０に嵌合用凸部１５５が設けられ、ベルマウス１５０に嵌合用凹部１４５が設けられてもよい。これによっても、実施の形態１および２と同様に、ベルマウス１５０をドレンパン１４０に取り付ける際に、嵌合用凹部１４５と嵌合用凸部１５５とが嵌合するため、ベルマウス１５０を容易かつ確実に位置決めすることができる。
【符号の説明】
【００６２】
１  空気調和機、２  冷媒配管、１０  室内熱交換器、１１  室内送風機、２０  圧縮機、２１  冷媒流路切替装置、２２  室外熱交換器、２３  室外送風機、２４  膨張弁、１００  室内機、１１０  筐体、１２０  化粧パネル、１２１  グリル、１２２  吹出口、１２３  フラップ、１３０  ターボファン、１４０  ドレンパン、１４１  本体吸込口、１４２  本体吹出口、１４５  嵌合用凹部、１４５ａ  第１嵌合用凹部、１４５ｂ  第２嵌合用凹部、１５０  ベルマウス、１５５  嵌合用凸部、１６０  ネジ、２００  室外機。
【図１】
2020170363.tif 000003
【図２】
2020170363.tif 000004
【図３】
2020170363.tif 000005
【図４】
2020170363.tif 000006
【図５】
2020170363.tif 000007
【図６】
2020170363.tif 000008
【図７】
2020170363.tif 000009
【図８】
2020170363.tif 000010
【図９】
2020170363.tif 000011
【図１０】
2020170363.tif 000012
【図１１】
2020170363.tif 000013
【図１２】
2020170363.tif 000014
【手続補正書】
【提出日】令和3年2月17日(2021.2.17)
【手続補正１】
【補正対象書類名】明細書
【補正対象項目名】０００７
【補正方法】変更
【補正の内容】
【０００７】
本発明の室内機は、外郭を形成する筐体と、前記筐体内に収容され、外部から流体を取り込むファンと、前記ファンから送り出された流体と冷媒との間で熱交換を行う熱交換器と、前記筐体の内壁に固定され、前記熱交換器から発生するドレン水を捕集するドレンパンと、前記ドレンパンに取り付けられ、前記ファンによって取り込まれる流体を整流するベルマウスとを備え、前記ドレンパンは、前記ベルマウスの位置決めを行うための、４箇所の角部のうち少なくとも２箇所の角部の近傍に設けられた複数のドレンパン側嵌合手段を有し、前記ベルマウスは、複数の前記ドレンパン側嵌合手段とそれぞれ嵌合する複数のベルマウス側嵌合手段を有するものである。
【手続補正２】
【補正対象書類名】特許請求の範囲
【補正対象項目名】全文
【補正方法】変更
【補正の内容】
【特許請求の範囲】
【請求項１】
外郭を形成する筐体と、
前記筐体内に収容され、外部から流体を取り込むファンと、
前記ファンから送り出された流体と冷媒との間で熱交換を行う熱交換器と、
前記筐体の内壁に固定され、前記熱交換器から発生するドレン水を捕集するドレンパンと、
前記ドレンパンに取り付けられ、前記ファンによって取り込まれる流体を整流するベルマウスと
を備え、
前記ドレンパンは、
前記ベルマウスの位置決めを行うための、４箇所の角部のうち少なくとも２箇所の角部の近傍に設けられた複数のドレンパン側嵌合手段を有し、
前記ベルマウスは、
複数の前記ドレンパン側嵌合手段とそれぞれ嵌合する複数のベルマウス側嵌合手段を有する
室内機。
【請求項２】
前記ドレンパン側嵌合手段は、前記ベルマウスに対向する面に、前記ベルマウスとは反対方向に設けられた嵌合用凹部であり、
前記ベルマウス側嵌合手段は、前記ドレンパンに対向する面から前記ドレンパンの方向に突出し、前記嵌合用凹部に嵌合する嵌合用凸部である
請求項１に記載の室内機。
【請求項３】
前記ドレンパン側嵌合手段は、前記ベルマウスに対向する面から前記ベルマウスの方向に突出する嵌合用凸部であり、
前記ベルマウス側嵌合手段は、前記ドレンパンに対向する面に、前記ドレンパンとは反対方向に設けられ、前記嵌合用凸部が嵌合する嵌合用凹部である
請求項１に記載の室内機。
【請求項４】
複数の前記嵌合用凹部は、前記嵌合用凸部の外形に沿った形状に形成されている
請求項２または３に記載の室内機。
【請求項５】
複数の前記嵌合用凸部は、円柱形状に形成され、
複数の前記嵌合用凹部は、丸穴形状に形成されている
請求項４に記載の室内機。
【請求項６】
複数の前記嵌合用凸部は、角柱形状に形成され、
複数の前記嵌合用凹部は、角穴形状に形成されている
請求項４に記載の室内機。
【請求項７】
複数の前記嵌合用凸部は、円柱形状に形成され、
複数の前記嵌合用凹部は、少なくとも１つの前記嵌合用凹部が丸穴形状に形成され、残りの前記嵌合用凹部が長穴形状に形成されている
請求項２または３に記載の室内機。
【請求項８】
前記長穴形状は、前記丸穴形状の嵌合用凹部と前記長穴形状の嵌合用凹部とを結ぶ直線に平行な方向に長い
請求項７に記載の室内機。
【請求項９】
前記ベルマウスは、
前記ドレンパン側嵌合手段と前記ベルマウス側嵌合手段とが嵌合した状態で、ネジによって前記ドレンパンに固定されている
請求項１〜８のいずれか一項に記載の室内機。
【請求項１０】
請求項１〜９のいずれか一項に記載の室内機と、
前記室内機に熱供給を行う室外機と
を備える空気調和機。
【国際調査報告】
2020170363.tif 000015
2020170363.tif 000016
2020170363.tif 000017
2020170363.tif 000018